(57)【要約】【課題】施肥機の繰出装置後方にカバーを設ける際の部品点数を削減し、簡略化された構造で該カバーのメンテナンス作業等をするに十分な角度での上方回動位置（開状態）を保持できる施肥機のカバーを提供する。【解決手段】施肥機４０の後部に回動可能に支持して後方を覆う施肥機のカバー５０において、前記カバー５０のカバー本体５２の回動支点５３近傍表面にカバー側突部（リブ５２ａ）を設けるとともに、前記施肥機４０側のフレームよりカバー側に突出する固定側突部（保持部５４ａ）を設け、該カバー本体５２を上方へ回動したときに、カバー側突部が固定側突部を乗り越えて上方回動位置で保持可能にした。【選択図】　　　　図４
2004141095.tif 000002
【特許請求の範囲】
【請求項１】
施肥機の後部に回動可能に支持して後方を覆う施肥機のカバーにおいて、前記カバーの回動支点近傍表面にカバー側突部を設けるとともに、前記施肥機側のフレームよりカバー側に突出する固定側突部を設け、該カバーを上方へ回動したときに、カバー側突部が固定側突部を乗り越えて上方回動位置で保持可能にしたことを特徴とする施肥機のカバー。
【請求項２】
前記施肥機を、上部に施肥ホッパ、その下部に繰出装置を配置し、該繰出装置後方に前記カバーの回動支点を配置し、前記施肥ホッパの後下部を前方へ下がる傾斜面として、該施肥ホッパの後下部に空間を形成し、前記カバーの上方回動時に前記空間にカバーを収納するように構成したことを特徴とする請求項１記載の施肥機のカバー。
【発明の詳細な説明】
【０００１】
【発明の属する技術分野】
本発明は、田植機に搭載し、植え付けと同時に施肥するための施肥機の構造に関する。
詳細には、施肥機の動力伝達系の保護等のために設けるカバーの構造に関する。
【０００２】
【従来の技術】
従来から、苗載台後方に施肥機を搭載して、植え付け作業と同時に施肥作業を行う乗用型田植機が存在している。一般的に、施肥機は施肥ホッパと、その下部に位置する肥料を繰り出すロールケースと、該ロールケースに接続された施肥用ホースを具備し、施肥用ホース先端に設けた側条作溝器より泥土層に施肥するように構成されている。
このようなリアマウント式の施肥機において、該施肥機の後方には動力伝達系の保護のためや外観を良くするためにカバーが設けられている。そして、該カバーは施肥機の後方に延設された支持アームに回動可能に支持され、メンテナンス時や残留肥料を排出する際のために、該カバーを上方に回動した状態（開状態）で保持できる技術は公知となっている（例えば、特許文献１参照。）。
【０００３】
【特許文献１】
特公平５−６９６６号公報
【０００４】
【発明が解決しようとする課題】
しかし、前記従来のカバーにおいては、該カバーを回動可能に支持し、任意の位置で保持可能にするために、回動支点にボルトやワッシャ、皿バネ、ロックナット等を配設しているため、部品点数が多く構造が複雑となり、組立工程数も多くなっていた。
また、カバーの最大上方回動位置、つまり最大開位置が略水平位置までであり、該カバーを開いた状態だと該カバーの先端部が施肥ホッパ後側傾斜面より後方に突出するので、機体保管時等、該機体が壁や物等との隙間がない状態で置かれていると、メンテナンス時等に十分な空間が確保できず、作業がやりにくいという不具合があった。
そこで本発明では、前記カバーを設ける際の部品点数を削減し、簡略化された構造で該カバーを開けてメンテナンス作業等をするに十分な角度での上方回動位置（開状態）を保持できる施肥機のカバーを提供する。
【０００５】
【課題を解決するための手段】
本発明の解決しようとする課題は以上の如くであり、次にこの課題を解決するための手段を説明する。
【０００６】
即ち、請求項１においては、施肥機の後部に回動可能に支持して後方を覆う施肥機のカバーにおいて、前記カバーの回動支点近傍表面にカバー側突部を設けるとともに、前記施肥機側のフレームよりカバー側に突出する固定側突部を設け、該カバーを上方へ回動したときに、カバー側突部が固定側突部を乗り越えて上方回動位置で保持可能にしたものである。
【０００７】
請求項２においては、前記施肥機を、上部に施肥ホッパ、その下部に繰出装置を配置し、該繰出装置後方に前記カバーの回動支点を配置し、前記施肥ホッパの後下部を前方へ下がる傾斜面として、該施肥ホッパの後下部に空間を形成し、前記カバーの上方回動時に前記空間にカバーを収納するように構成したものである。
【０００８】
【発明の実施の形態】
次に、発明の実施の形態を説明する。
図１は本発明に係る施肥機のカバーを具備する施肥機を搭載した乗用田植機の全体側面図、図２は同じく後部側面図、図３は本発明に係る施肥機の後面図、図４は本発明に係る施肥機のカバーの一実施例を示す側面一部断面図、図５は同じく別実施例を示す側面一部断面図、図６は本発明に係る施肥機のカバーの開状態を示す斜視図である。
図７は本発明に係る施肥機のカバーにロール回転用ハンドルを収納した状態を示す側面一部断面図、図８は同じく背面図、図９は本発明に係る施肥機のカバーにブラシを収納した状態を示す背面図、図１０は本発明に係る施肥機の一部側面図、図１１は同じく案内体を外した状態を示す一部側面図、図１２はユニットクラッチ部を示す側面図である。
【０００９】
まず、本発明に係る田植機の全体構成について説明する。
なお、本実施例において田植機は４条植え式の植付部を搭載した乗用田植機としているが、４条植え式に限定されるものではない。
図１及び図２に示す如く、乗用田植機は走行部１の後部に昇降リンク機構２７を介して植付部１５が配置され、該植付部１５の後方には施肥機４０が配設されている。該走行部１は機体フレーム３前部上方にエンジン２を搭載し、前下部にフロントアクスルケースを介して前輪６を支持させると共に、後部にリアアクスルケースを介して後輪８を支持している。そして、前記エンジン２はボンネット９に覆われ、該ボンネット９の両側には予備苗載台３０が配設され、該ボンネット９上部には燃料タンク４が設けられて、該燃料タンク４の後部には操向ハンドル１４が配置されている。該操向ハンドル１４の下部左右両側方に主変速レバー、副変速レバー、アクセルレバー及び操作パネル等が具備される操作部１１が集中配置されている。また、走行部１の機体フレーム３を覆う機体カバー１２は、ボンネット９後部から座席１３前部に渡ってメインステップ１０を形成し、該メインステップ１０後部では高く盛り上がってその上に座席１３が設けられている。前記メインステップ１０の前方であってボンネット９の左右両側に、前部ステップ９ａがボンネット９と一体的に形成されていて、該前部ステップ９ａとメインステップ１０の間にはクラッチペダル３２及びブレーキレペダル等が配設されている。
【００１０】
また、前記植付部１５は、４条植えとした苗載台１６や複数の植付爪１７やセンターフロート３４やサイドフロート３５等から構成されており、前記苗載台１６は前高後低に配設して、苗載台１６の下部は下ガイドレール１８、前面の上部は上ガイドレール１９によって左右往復摺動自在に支持し、クランク式の植付爪１７を植付伝動フレーム２１の後部に配設している。したがって、前輪６及び後輪８を走行駆動して移動させるとともに、左右に往復摺動可能な苗載台１６から１株分の苗を植付爪１７によって取り出し、連続的に植え付け作業が行えるようになっている。
【００１１】
植付伝動フレーム２１の前部にはローリング支点軸２２を介してヒッチ２４が設けられ、そのヒッチ２４は、ヒッチ２４の上部左右両側に枢支されているトップリンク２５と、ヒッチ２４の下部左右両側に枢支されているロワーリンク２６とを含む昇降リンク機構２７を介して走行部１の後部に連結されている。前記ロワーリンク２６の前端部内側面にはリフトアーム３７の基部が固設されており、このリフトアーム３７をロワーリンク２６の配設方向に対して略直交する上方向に突設している。昇降リンク機構２７を昇降駆動させる昇降シリンダー２０がこのロワーリンク２６に連結したリフトアーム３７に連結している。
【００１２】
また、前記リフトアーム３７の上端部とロワーリンク２６の後端部との間には補強リンク６１が連結されており、ロワーリンク２６の剛性を高めるようにしている。前記トップリンク２５及びロワーリンク２６の前端部は、後部連結フレーム４４間に横設された枢支ピンを介して枢支されており、この後部連結フレーム４４が昇降リンク機構２７の支持部として兼用されている。この昇降リンク機構２７によって植付部１５を昇降させる平行リンクが形成されており、圃場の凹凸に合わせて昇降させても、植付けられた苗の植付け姿勢が変わらないようにしている。
【００１３】
前記植付伝動フレーム２１の後部には植付爪１７・１７・・・が配置され、該植付伝動フレーム２１内に設けられた植付駆動軸２３からユニットクラッチ２８や植付アーム軸７０等を介して植付爪１７・１７・・・が駆動される。
前記ユニットクラッチ２８の操作部は、図１２に示すように、前記植付伝動フレーム２１上に固設されたブラケット２９に回動軸３３ａが支持され、該回動軸３３ａに側面視略Ｌ字型のクラッチアーム３３が回動可能に軸支されている。該クラッチアーム３３の一端（下方）には、バネ３６、ワイヤ３１を介して図示せぬユニットクラッチレバーに連結されている。一方、該クラッチアーム３３の他端（上方）にはピン７４が止めピン等によって支承されている。そして、前記ワイヤ３１を引っ張ることによって前記クラッチアーム３３が回動軸３３ａを中心として回動され、前記ピン７４が植付伝動フレーム２１内に挿脱され、植付駆動軸２３から植付アーム軸７０への動力の断接を行う構造となっている。
【００１４】
次に、施肥機４０について説明する。
施肥機４０は、苗マット載置面に対向して配置される。すなわち、図２及び図３に示す如く、施肥機４０は支持フレーム４３に固定されて苗載台１６の各条の左右中央上方に配置される。該支持フレーム４３は基部フレーム４３ａと支持柱４３ｂと横フレーム４３ｃから構成されている。基部フレーム４３ａは前記植付伝動フレーム２１の後部に固定されて立設され、該基部フレーム４３ａには、施肥機４０の下部より延設される施肥ホース４６と、後述する植付アーム６８との干渉を防ぐために、左右両側の施肥ホース４６においてはこれらを保持するホースガイド５８・５８が固設されている。さらに該基部フレーム４３ａには支持柱４３ｂの下端が固設され、該支持柱４３ｂの上端に縦フレーム４３ｄを介して側面視略逆Ｌ字状に構成された横フレーム４３ｃ・４３ｃが後面視で左右水平方向二本前後平行に横設されている。また、機体後方側の横フレーム４３ｃの略左右中央部には、ホースガイドステー４９がボルト等により垂設され、該ホースガイドステー４９の下部には前記ホースガイド５８と同様の機能を持つ、内側の２本の施肥ホース４６・４６を支持するホースガイド５９が横設固定されている。
【００１５】
前記横フレーム４３ｃの水平面部下に、ロールケース４７がプレート４７ｄ（図４に図示）を介して固設され、横フレーム４３ｃと横フレーム４３ｃの間に架設されている。そして、このように横フレーム４３ｃ・４３ｃに固定されるロールケース４７内に、繰出ロール４５を収容し、該繰出ロール４５の回転により一定量の肥料を繰り出す構成としている。該ロールケース４７の下部には施肥ホース４６が連通され、該施肥ホース４６の下端は作溝器３８の後部に延設された作溝ガイド３９に連通している。該作溝器３８は前記植付爪１７により植え付けられる位置の側方の前に配置され、サイドフロート３５・３５及びセンターフロート３４（図１に図示）の裏面に固定されている。
【００１６】
上述の如く配設された施肥機４０には、繰出装置４１と、該繰出装置４１上に載置される施肥ホッパ４２と、繰出装置４１の下部に連通される施肥ホース４６等から構成され、左右隣接する２条ずつの繰出装置４１・４１と一つの施肥ホッパ４２等とで施肥ユニット９８が構成され、該施肥ユニット９８・９８は機体左右方向に並設して配置される。
そして、前記繰出装置４１の後方には、本発明に係る、条止めクラッチである爪クラッチ８４やワンウェイクラッチ８２等を保護するためのカバー５０が施肥ユニット９８・９８に亘って上下回動可能に横設されている。
【００１７】
前記繰出装置４１の上部には施肥ホッパ４２が分離可能に連通接続されている。すなわち、図４に示すように、該施肥ホッパ４２の底面には肥料排出口９３が開口され、底部の内部周囲にシャッターガイド６３が設けられ、該シャッターガイド６３は左右内面に前後水平方向にレール状の凹部を形成して、該シャッターガイド６３に開閉手段となるシャッター６２が摺動可能に挿入され、該シャッター６２の摺動部にはスポンジやゴム等で構成した弾性体を設けてシールして漏れの防止及び摺動性の向上を図っている。そして、該シャッター６２の把持部６２ａによって、前記シャッターガイド６３にシャッター６２を挿入して摺動することによって肥料排出口９３を開閉できるようにしている。
【００１８】
前記シャッターガイド６３の両側部にはフック６４・６４が枢支され、一方、ロールケース４７の側面の係合部を係合することによって繰出装置４１と施肥ホッパ４２を固定でき、係合を解除することによって施肥ホッパ４２を外すことができ、肥料の補給やメンテナンス等を容易にできるようにしている。
【００１９】
前記繰出装置４１は、ロールケース４７内の中央に繰出回転体である繰出ロール４５が内装されており、繰出ロール４５の側端部はロールケース４７により回転自在に枢支され、該繰出ロール４５の左右両側端部を延出して爪部４５ａを形成して、条止めクラッチである爪クラッチ８４を介して駆動軸４８と連結可能に構成している。該繰出ロール４５への動力伝達構成は前記植付爪１７の回動を動力伝達機構６９を介して伝達される。
【００２０】
次に、施肥機４０の動力伝達機構６９の構成について説明する。
図２及び図３に示すように、植付伝動フレーム２１の後部の側面に植付アーム軸７０が突出され、該植付アーム軸７０にクランクアーム６７を固設し、該クランクアーム６７の先端に植付アーム６８の中途部を連結し、該植付アーム６８の一端（前端）に植付爪１７を取り付けて他端（後部）に揺動アーム７６の一端を枢結している。該揺動アーム７６の他端を支点軸７７に枢支して、該支点軸７７を植付伝動フレーム２１後端より上方へ突設したアーム７１後端に固設し、揺動アーム７６より動力伝達機構６９を介して駆動軸４８に動力が伝達される。
該動力伝達機構６９は前記揺動アーム７６に固設される駆動アーム８３、駆動ロッド７２、カウンターアーム７３、連結リンク８０、揺動アーム８１よりなり、前記揺動アーム７６に駆動アーム８３が固定され、該駆動アーム８３に駆動ロッド７２が枢支されている。該駆動ロッド７２の他端には、図示せぬボルトの一端がリンクボール等により回転自在に支持され、他側のネジ部が座金７５、カウンターアーム７３に形成した長孔７３ａ、座金７５と挿通して、端部が固定レバー７８に螺装して締め付け固定できるようにしている。
【００２１】
該カウンターアーム７３の中途部は支点軸７９により前記支持フレーム４３に枢支され、該カウンターアーム７３の他端は連結リンク８０の一端に枢支され、該連結リンク８０の他端は揺動アーム８１に枢支されている。該揺動アーム８１はワンウェイクラッチ８２を介して前記駆動軸４８に連結され、該駆動軸４８が爪クラッチ８４を介して繰出ロール４５と連結可能に構成されている。
【００２２】
そして、植付アーム軸７０に伝達された動力がクランクアーム６７を介して植付アーム６８を回動し、該植付アーム６８後部と連結している揺動アーム７６を揺動させると、該揺動アーム７６に取り付けられた駆動アーム８３が揺動し、この揺動が駆動ロッド７２を上下方向に往復動し、カウンターアーム７３、連結リンク８０を介して揺動アーム８１を揺動する。そして、この揺動アーム８１の揺動によってワンウェイクラッチ８２を介して駆動軸４８が一方向に間欠回転駆動され、爪クラッチ８４を「入」状態にすると、繰出ロール４５が回転され、一定量ずつ肥料が施肥ホース４６より落下されるのである。
【００２３】
続いて、本発明に係る前記カバー５０について図４乃至図９を用いて説明する。
該カバー５０は、上述した横フレーム４３ｃ・４３ｃの左右両端に架設されたフレーム部５１ａ・５１ａと一体的に形成された側板５１・５１と、該側板５１・５１に回動自在に支承されたカバー本体５２とからなり、該側板５１・５１で両側面を形成し、該側板５１・５１で支持されたカバー本体５２で後面を形成した構成となっている。
そして、前記カバー５０は後述するように、前記カバー本体５２の回動支点５３近傍表面にカバー側突部となるリブ５２ａを設けるとともに、前記施肥機側の支持フレーム４３よりカバー側に突出する固定側突部となるボルト頭で構成した保持部５４ａを設け、該カバー本体５２を上方へ回動したときに、カバー側突部が固定側突部を乗り越えて上方回動位置で掛合させて保持可能にした構造となっている。
【００２４】
即ち、図４に示すように、前記カバー本体５２は、合成樹脂等で構成され、繰出装置４１側（内側）を覆うように短手方向に湾曲した板状部材に構成されている。該カバー本体５２の上端部には円筒の一部を切り欠いた側面視略「Ｃ」字型の取付部５２ｂを設け、該取付部５２ｂが回動中心となるように、カバー本体５２の上部が前記側板５１に設けた、ボルト等によって構成した回動支点５３にて回動可能に支持されている。
前記カバー本体５２の取付部５２ｂの表面（外側）には、長手方向（左右水平方向）に側面視略三角形状の突起に構成したリブ５２ａが一体的に引き抜き加工等で形成されている。該リブ５２ａはカバー本体５２を開状態に保つためのカバー５０側の保持部としての役割を果たしている。
【００２５】
また、前記支持フレーム４３において、機体後部側の横フレーム４３ｃの左右両側には、該横フレーム４３ｃと前記ロールケース４７との間に介在するプレート４７ｄがボルト５４・５４によって締結固定されている。すなわち、該横フレーム４３ｃの後面の左右両側に螺装したボルト５４・５４の頭部が保持部５４ａ・５４ａとして突出した構成としており、該保持部５４ａ・５４ａが上述した支持フレーム４３側の保持部となっている。なお、この保持部５４ａはボルトを利用しているが、ピン等を挿入固定して突起を形成して保持部とすることもできる。
【００２６】
つまり、前記カバー本体５２を上方に持ち上げ、カバー５０側の保持部である前記リブ５２ａが、支持フレーム４３側の保持部５４ａ・５４ａを乗り越えるまで前記取付部５２ｂを中心に回動させ手を放すと、カバー本体５２の自重によって該カバー本体５２が閉じる向きに戻ろうとしても、該リブ５２ａと該保持部５４ａ・５４ａとが当接して掛合することによって、カバー本体５２が開いた状態を保持する構造となっている。
【００２７】
このような構造にすることにより、前記カバー本体５２の回動支点５３にバネ等の部品を用いることなく簡略化された構造で該カバー５０を開状態に保持でき、かつ、該カバー５０開状態においてカバー本体５２は、メンテナンス等の作業をするに十分な回動角度が確保できる。
なお、本実施例においては、支持フレーム４３側の保持部５４ａ・５４ａは横フレーム４３ｃの左右両側２箇所に設けてあるが、前記カバー本体５２を開状態に保持可能であれば、該カバー本体５２の重量等によって、支持フレーム４３側の保持部を設ける位置や箇所数は限定されるものではない。また、該カバー本体５２に形成されるリブ５２ａも、前記支持フレーム４３側の保持部と掛合することによって該カバー本体５２の上方回動位置を保持できる形状であれば本実施例に限定されない。
【００２８】
また、前記施肥機４０を、上部に施肥ホッパ４２、その下部に繰出装置４１を配置し、該繰出装置４１後方に前記カバー本体５２の回動支点５３を配置し、前記施肥ホッパ４２の後下部を前方へ下がる後方下部斜面４２ａとして、施肥ホッパ４２の後下部に空間を形成し、前記カバー５０の上方回動時に前記空間にカバーを収納するように構成している。
つまり、前記施肥ホッパ４２の後方下部斜面４２ａ下方に形成する空間は、側面視において、カバー５０を略立てた状態で十分収納できる空間に形成しており、前記回動支点５３は施肥ホッパ４２の後端面よりも、カバー５０を開放状態に保持している状態における前後長さ以上前方に位置させている。よって、カバー５０を上方に回動して開放状態に保持している状態では、前記カバー本体５２の後端は後方に突出することなく、施肥機の繰出駆動伝達部（動力伝達機構６９）を十分開放して、機体の後方に壁や物等があり十分な空間がない場合等でも、メンテナンス等の作業が可能となる。
【００２９】
さらに、前記カバー５０を開状態に保持する構造の別実施例として、図５を用いて説明する。
本実施例では、前記側板５１・５１の形状を工夫する等して側板５１’・５１’とし、前記回動支点５３をより後方の回動支点５３’となるような構成にしている。つまり、前記カバー本体５２を上方に回動させたとき、該カバー本体５２の重心Ｇが回動支点５３’の中心を通る鉛直線Ｌよりも前方（施肥ホッパ側）に位置するように回動支点５３’を配設する。
このような構造にすることにより、前記カバー本体５２を開状態に保持する際、該カバー本体５２の重心が前記回動支点５３’よりも前方に位置するまで該カバー本体５２を回動させると、カバー本体５２の重心が死点越えとなって該カバー本体５２の自重により、施肥ホッパ４２の後方下部斜面４２ａに該カバー本体５２が当接した状態となり、前記カバー５０の開状態を保持できる。
このような構造にすることにより、該カバー５０を開状態に保持するために、上述したカバー本体５２に形成したリブ５２ａ等の保持機構が不必要となり、より簡略化された組立工程によってカバー本体５２の十分な回動角度を有した開状態を保持することが可能となる。
【００３０】
前記カバー本体５２の裏面（内側）の中途部には、該カバー本体５２の定位置（閉状態）を嵌め込み保持するための溝部５２ｃが一体的に突設されている。該溝部５２ｃは、側面視略「Ｕ」字型のパイプ状であり、該カバー本体５２の長手方向に亘って形成されている。
【００３１】
そして、図６に示すように、前記側板５１・５１それぞれの内側面には前記カバー本体５２に形成された溝部５２ｃと嵌合するためのピン５１ｃ・５１ｃがそれぞれ一体的または別部材として設けられている。該ピン５１ｃ・５１ｃは、前記側板５１・５１にそれぞれカバー５０内側に向けて突設された略円柱状の部材であり、該ピン５１ｃ・５１ｃに前記溝部５２ｃが左右の側板５１・５１においてそれぞれ嵌合し、前記カバー本体５２を閉状態に保持できる。
このように、前記カバー５０は、前記側板５１・５１に設けられたピン５１ｃ・５１ｃに、前記カバー本体５２に形成された溝部５２ｃを嵌合して保持することによって、走行作業中等に該カバー本体５２が振動によってがたついたりしないようにしっかりと閉状態を保持できる構造となっている。但し、ピン５１ｃは両側に設けているが、前記カバー５０の左右中間部に機体から支持部を延設し、該支持部に前記ピン５１ｃと同様の部材を設けることで更に強固に保持することも可能となる。
【００３２】
さらに、前記カバー本体５２に形成された溝部５２ｃは、工具等の収納部としても利用できる。
図７乃至図１０に示すように、該溝部５２ｃに収納する工具等の例としては、施肥作業前や終了後等に、施肥機の繰出装置４１や施肥ホース４６等の掃除をする際に用いるブラシ６５やロール回転用ハンドル６６がある。該ロール回転用ハンドル６６とは、繰出ロール４５に残留した肥料を排出するために、着脱式である前記施肥ホッパ４２をはずし、二条ずつまたは条止めクラッチである爪クラッチ８４・８４を解除して一条毎の繰出ロール４５を回転させる場合に、該繰出ロール４５に一体的に形成された爪部４５ａに噛合させて、該繰出ロール４５を回すために用いるものである。すなわち、該ロール回転用ハンドル６６には、図３に示す前記繰出ロール４５の爪部４５ａの反対側に形成された爪部４５ｂと噛合できるように該繰出ロール４５と凹凸が互いに逆になるような形状、つまり、爪クラッチ８４と略同一形状の爪部６６ａが形成されている。さらに、ロール回転用ハンドル６６の一端には把持部６６ｂが設けられており、該把持部６６ｂは前記溝部５２ｃに嵌合できる形状に構成して、該把持部６６ｂを前記溝部５２ｃに嵌合させて収納するのである。また、図９に示すように、前記ブラシ６５を該溝部５２ｃに収納するときは、前記ロール回転用ハンドル６６と同様に、該ブラシ６５の把持部６５ｂを前記溝部５２ｃに嵌合できる形状に構成して、把持部６５ｂを該溝部５２ｃに嵌め込み収納する。
このようにして、施肥機４０の清掃作業の際に用いるブラシ６５やロール回転用ハンドル６６等や機体の調整等に用いる工具等を前記カバー本体５２に形成された溝部５２ｃに嵌め込んで収納することにより、別途にこのような工具等を収納する場所を設ける必要が無く、メンテナンス作業時には容易に取り出すことができて、該カバー本体５２の内側の空間を有効に活用でき、かつ、外観的にも優れたものとなる。
【００３３】
次に、施肥作業中等に施肥機４０の施肥ホッパ４２に設けられた、該施肥ホッパ４２内の肥料の残量を目測するための銘板５５について図３及び図６を用いて説明する。
前記施肥ホッパ４２は、該施肥ホッパ４２内の肥料の残量が確認できるように合成樹脂等の透明な素材で形成されている。しかし、このように施肥ホッパ４２を透明な素材で形成することによって、後方等からは肥料の残量が確認できるのだが、座席１３に座っている施肥作業中の作業者側から該施肥ホッパ４２内の肥料の残量を確認しようとすると、視線の角度や日光の照射具合によって正確な残量を目測することが難しい。そこで、施肥ホッパ４２内の肥料のより正確な残量を確認できるようにするため、銘板５５を設けている。
【００３４】
前記銘板５５は、図３に示すように、前記施肥ホッパ４２・４２の後面または側面のどちらか一側（本実施例では後面）において、座席１３に座った状態で視界に入る位置にそれぞれに貼設された略長方形の有色の板状部材である。該銘板５５の色は、施肥する肥料の色と異なる色であればよいが、より見やすくするためには肥料と反対色系であることが好ましい。
なお、該銘板５５を設ける数や大きさや形状等は任意であり、限定されるものではない。また、本実施例では前期銘板５５は前記施肥ホッパ４２・４２の後面のみに貼設しているが、必要に応じて前後面両側に設けてもよい。
このように、施肥ホッパ４２を透明な素材で形成し、該施肥ホッパ４２に銘板５５を貼設することによって、該銘板５５を該施肥ホッパ４２の後面、側面または前面の一側のみに設ければよく、また、施肥ホッパ４２内の肥料の残量を、肥料補給者側（後方）から及び施肥作業者側（前方）からもより正確に確認することが可能となる。さらに、別途に肥料の残量警報等を設ける必要もなくなり構造の簡略化も図ることができる。
【００３５】
次に、前記繰出装置４１から繰り出された肥料が、途中で滞留することなくスムーズに施肥されるようにするために工夫された前記案内体６０の形状について説明する。
図１０に示すように、ロールケース４７の下部に配設される肥料案内体６０の下部の前部斜面６０ａ及び後部斜面６０ｂは、水平面に対してそれぞれ傾斜角度α及びβを有している。そして、繰出ロール４５が図の矢印Ａの向きに回転することによって繰り出された肥料が落下する側、本実施例では前部斜面６０ａの傾斜角度αは後部斜面６０ｂの傾斜角度βと比較して大きくなっている。
つまり、前記傾斜角度α及びβの両方を大きくすると、該案内体６０の下方の肥料出口部が狭くなって肥料がつまりやすくなり、また、該傾斜角度α及びβの両方を小さくすると、繰出ロール４５から落下した肥料が斜面上に滞留しスムーズに流れにくくなる。よって、該肥料案内体６０の下部の前記斜面６０ａ及び６０ｂについて、前記傾斜角度αを大きくし傾斜角βを小さく形成している。
該案内体６０をこのような形状にすることによって、案内体６０の下部斜面によって肥料がスムーズに案内され、該案内体６０内に肥料が滞留して固まる等の不具合が解消できより均一的な施肥が可能となる。
【００３６】
また、前記案内体６０は、施肥作業後に該案内体６０や施肥ホース４６内に残留した肥料を排出するために、前記ロールケース４７と着脱可能な構造となっている。
図１１に示すように、案内体６０は該案内体６０上部に形成された溝部６０ｃに前記ロールケース４７の下部の外側に形成された突部４７ａを嵌め込むことによって該ロールケース４７に装着する構造となっている。
そして、前記案内体６０をより着脱し易くするために、該案内体６０をゴム等の弾性的な素材によって伸縮可能に形成されており、該案内体６０の上部外周辺には該案内体６０を着脱する際の把持部となる縁部６０ｄが形成されている。
【００３７】
つまり、前記案内体６０を前記ロールケース４７から取り外す際は、該案内体６０に形成された前記縁部６０ｄを手で把持して引っ張ることによって、該案内体６０の嵌め込み口６０ｅを広げ、該案内体６０に形成された溝部６０ｃと前記ロールケース４７に形成された突部４７ａとの嵌合を解除する構造となっている。なお、案内体６０を取り外す作業は、通常機体後方から行うので、該案内体６０の縁部６０ｄは、後部側が幅広に形成され手で掴みやすい形状としている。
このような構造にすることにより、前記案内体６０の着脱を容易に行うことができ、また、該案内体６０はゴム等の弾性素材で形成されているので、錆等が発生することなく長期使用が可能となる。
【００３８】
また、図１２に示すように、前記繰出装置４１の下方には前記ユニットクラッチ２８が、該ユニットクラッチ２８のクラッチアーム３３に支承されたピン７４が挿脱される面が上方を向いて位置している。つまり、上述のように前記案内体６０をロールケース４７から取り外し残留肥料の清掃を行う際に、この残留肥料がこぼれ落ちる位置に該ユニットクラッチ２８が位置している。そのため、前記ピン７４挿脱部に落下した残留肥料が付着したり、さらに付着した肥料が雨等の水分と混ざることによって固まったりすると、該ピン７４の挿脱がスムーズに行われず、ユニットクラッチ２８が作動不良になるおそれがある。
【００３９】
そこで、前記ユニットクラッチ２８のピン７４挿脱部の上方にカバー５６を設けている。該カバー５６は、上述した植付アーム６８と施肥ホース４６が干渉しないために設けられているホースガイド５８と溶接等により一体的に固設されている。
該カバー５６は、金属板を折り曲げて側面視略「へ」字型に形成されたものであり、前方及び後方に向けて傾斜面を有するように固設されているので、落下してきた肥料が該カバー５６上面に載ったままにならずに、前方及び後方に流れ落ちて行くような形状となっている。
【００４０】
このように、前記ユニットクラッチ２８のピン７４挿脱部の上方に前記カバー５６を設けることによって、前記案内体６０を取り外して残留肥料を排出する際に落下してくる肥料から、前記ユニットクラッチ２８のピン７４挿脱部を保護することができ、常に円滑なユニットクラッチ２８の作動を維持することが可能となる。また、前記カバー５６も該カバー５６自体に落下してきた肥料が残留しないような形状となっているので、該カバー５６の錆付きも防止できる。さらに、該カバー５６は前記ホースガイド５８と直接一体的に固設されているので、該カバー５６を設けるために別途取付部材等を設ける必要がなく、簡易な構造で該カバー５６を設けることができる。
【００４１】
【発明の効果】
本発明は、以上のように構成したので、以下に示すような効果を奏する。
【００４２】
即ち、請求項１に示す如く、施肥機の後部に回動可能に支持して後方を覆う施肥機のカバーにおいて、前記カバーの回動支点近傍表面にカバー側突部を設けるとともに、前記施肥機側のフレームよりカバー側に突出する固定側突部を設け、該カバーを上方へ回動したときに、カバー側突部が固定側突部を乗り越えて上方回動位置で保持可能にしたので、カバー本体の回動支点にバネ等の部品を用いることなく簡略化された構造で、かつ、メンテナンス等の作業をするに十分な回動角度を確保した状態で、前記施肥機のカバーを開状態に保持することができる。
【００４３】
請求項２に示す如く、前記施肥機を、上部に施肥ホッパ、その下部に繰出装置を配置し、該繰出装置後方に前記カバーの回動支点を配置し、前記施肥ホッパの後下部を前方へ下がる傾斜面として、該施肥ホッパの後下部に空間を形成し、前記カバーの上方回動時に前記空間にカバーを収納するように構成したので、カバーを開状態、つまり前記カバー本体を上方に回動保持した状態において、該カバー本体は、前記施肥ホッパの後方下部斜面部の下方に形成された空間に収納することができる。また、前記カバーを開状態に保持している状態においても、前記カバー本体が後方に突出することなく、機体の後方に壁や物等があり十分な空間がない場合等でも、メンテナンス等の作業の効率が向上する。
【図面の簡単な説明】
【図１】本発明に係る施肥機のカバーを具備する施肥機を搭載した乗用田植機の全体側面図。
【図２】同じく後部側面図。
【図３】本発明に係る施肥機の後面図。
【図４】本発明に係る施肥機のカバーの一実施例を示す側面一部断面図。
【図５】同じく別実施例を示す側面一部断面図。
【図６】本発明に係る施肥機のカバーの開状態を示す斜視図。
【図７】本発明に係る施肥機のカバーにロール回転用ハンドルを収納した状態を示す側面一部断面図。
【図８】同じく背面図。
【図９】本発明に係る施肥機のカバーにブラシを収納した状態を示す背面図。
【図１０】本発明に係る施肥機の一部側面図。
【図１１】同じく案内体を外した状態を示す一部側面図。
【図１２】ユニットクラッチ部を示す側面図。
【符号の説明】
４０　施肥機
４２　施肥ホッパ
４３　支持フレーム
５０　カバー
５１　側板
５２　カバー本体
５２ａ　リブ
５４ａ　保持部
【図１】
2004141095.tif 000003
【図２】
2004141095.tif 000004
【図３】
2004141095.tif 000005
【図４】
2004141095.tif 000006
【図５】
2004141095.tif 000007
【図６】
2004141095.tif 000008
【図７】
2004141095.tif 000009
【図８】
2004141095.tif 000010
【図９】
2004141095.tif 000011
【図１０】
2004141095.tif 000012
【図１１】
2004141095.tif 000013
【図１２】
2004141095.tif 000014